(57)【要約】      （修正有）【課題】吹出気流による空気清浄機近傍での花粉やハウスダストの巻上げを抑制し、効率よく花粉やハウスダストを捕集することが可能な空気清浄機を提供する。【解決手段】加湿機能付空気清浄機１１は空気を取り入れる吸込口１３と、空気を吹出す第一吹出口１４と第二吹出口１５とを吹出口間隔を設けて本体１２に備え、本体１２内には脱臭フィルタ、集塵フィルタと気化フィルタ、空気流を発生するための二つの羽根車と、二つの羽根車を駆動するモータとを備え、第一吹出口１４と第二吹出口１５から吹出す空気のそれぞれ第一主流２０、第二主流２１は、吹出仰角は水平より仰角で、本体１２から離れるに従い水平方向に方位角１８で広がる。【選択図】図１
2017020710.tif 000002
【特許請求の範囲】
【請求項１】
空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータとを備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に広がることを特徴とする空気清浄機。
【請求項２】
前記第一吹出口と前記第二吹出口の開口面積が略同一であることを特徴とする請求項１に記載の空気清浄機。
【請求項３】
前記モータの両軸にそれぞれ前記羽根車を備え、各々の羽根車とそれぞれ前記第一吹出口、前記第二吹出口を連通する構成としたことを特徴とする請求項１または２に記載の空気清浄機。
【請求項４】
請求項１から３いずれかに記載の空気清浄機に、水を保持する気化フィルタと、前記気化フィルタに水を供給するトレイを備え、前記気化フィルタが前記トレイの水に接触することで湿潤し、空気流が湿潤した前記気化フィルタを通過することで加湿を行うことを特徴とする加湿機能付空気清浄機。
【発明の詳細な説明】
【技術分野】
【０００１】
本発明は、室内空気の空気清浄、及び加湿を行う空気清浄機及び加湿機能付空気清浄機に関するものである。
【背景技術】
【０００２】
従来から、吹出口から吹出す気流により、室内の空気を循環させ、花粉やハウスダストなどの粉塵を除去する空気清浄機が知られていた（例えば特許文献１参照）。
【０００３】
以下、その空気清浄機について図５を参照しながら説明する。
【０００４】
図５は、空気清浄機１０１の断面図を示している。空気清浄機１０１は、吸込口１０２及び第一吹出口１０３、第二吹出口１０４を有するハウジング１０５と、前記ハウジング１０５内に収容されている送風機１０６と、前記送風機１０６によって前記吸込口１０２から吸い込まれた空気を集塵フィルタ１０７、脱臭フィルタ１０８を通過し、前記第一吹出口１０３、または第一吹出口１０３および第二吹出口１０４へ通流させるために前記ハウジング内に形成された通風路１０９とを備え、前記送風機１０６と第一吹出口１０３、第二吹出口１０４との間に、風向制御装置１１０を備える。風向制御装置１１０は、円筒状をなすケーシング１１１に、円筒状をなす風向制御体１１２を遊嵌してなる。風向制御体１１２は、ケーシング１１１内を回転駆動され、回転駆動により前記送風機１０６からの空気を前記第一吹出口１０３、または第一吹出口１０３および第二吹出口１０４に切り替えるものである。
【０００５】
このような構成によれば、ケーシング１１１内の風向制御体１１２により、簡単及びコンパクトな構造で、集中気流と拡散気流とを容易に切り換えることができ、送出される気流の風速を速くしたり、遅くしたりすることができ、気流を遠くまで届かせたり、送風装置の近傍に拡散させたりすることができるとしている。
【先行技術文献】
【特許文献】
【０００６】
【特許文献１】特開２０１４−２０６５２号公報
【発明の概要】
【発明が解決しようとする課題】
【０００７】
このような従来の空気清浄機においては、第一吹出口１０３または第二吹出口１０４から吹出される気流は空気清浄機１０１の幅方向には一つにまとまっており、吹出す気流に誘引されて、空気清浄機１０１前方には吹出し方向に気流が発生することとなる。このため、吸込口１０２に集まってくる花粉やハウスダストを吹出し方向の気流が誘引して巻き上げてしまい、花粉やハウスダストを効率よく吸込口１０２で吸込むことができにくいという課題があった。
【０００８】
そこで本発明は、前記課題を解決するものであって、花粉やハウスダストの吸込口での捕集効率を向上させることができる空気清浄機及び加湿機能付空気清浄機を提供することを目的とする。
【課題を解決するための手段】
【０００９】
上述の目的を達成するために、本発明に係る空気清浄機及び加湿機能付空気清浄機は、空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータとを備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に広がることを特徴とするものであり、これにより所期の目的を達成するものである。
【発明の効果】
【００１０】
本発明に係る空気清浄機及び加湿機能付空気清浄機によれば、空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータとを備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に広がることで、前記本体の空気を吹出す方向では、主流が無い領域が広がり、その主流が無い領域の両側面に主流が存在する空気の流れとなるため、空気の吸込みにより本体近傍に集まってくる花粉やハウスダストを主流により巻き上げることがなく、花粉やハウスダストを効率よく吸込口で吸込むことができ、花粉やハウスダストの捕集効率を高めることができる。
【図面の簡単な説明】
【００１１】
【図１】本発明の実施の形態１に係る加湿機能付空気清浄機の正面から見た斜視図
【図２】本発明の実施の形態１に係る加湿機能付空気清浄機の正面から見た断面を示す構成図
【図３】本発明の実施の形態１に係る加湿機能付空気清浄機の側断面を示す構成図
【図４】本発明の実施の形態１に係る加湿機能付空気清浄機の使用状態を示した斜視図
【図５】従来技術の一例を示す断面を示す構成図
【発明を実施するための形態】
【００１２】
本発明に係る空気清浄機は、空気を取り入れる吸込口と、前記吸込口よりも上方で空気を吹出す第一吹出口と第二吹出口とを設けた本体を備え、前記本体内には前記吸込口と前記吹出口を連通する風路と、前記風路に配置した空気浄化手段と、空気流を発生するための羽根車と、前記羽根車を駆動するためのモータとを備え、前記第一吹出口と前記第二吹出口は前記本体上部に間隙を置いて備え、前記第一吹出口と前記第二吹出口から吹出す空気の主流は、平面視で前記第一吹出口と前記第二吹出口とを結ぶ直線に対して同じ側にして、吹出角度は水平より仰角にして、前記本体から離れるに従い水平方向に広がることを特徴とするものである。
【００１３】
これにより、前記本体の空気を吹出す方向では、前記第一吹出口から吹出す主流と前記第二吹出口から吹出す主流が二方面に分かれて放出されるので、挟まれた中央部に主流が無い領域を広げることができるので、空気の吸込みにより本体近傍に集まってくる花粉やハウスダストを主流が誘引して巻き上げることがなく、花粉やハウスダストを効率よく吸込口で吸込むことができ、花粉やハウスダストの捕集効率を高めることができる。また、主流により花粉やハウスダストを巻き上げることが無いため、空間中の花粉やハウスダストの濃度を素早く減少させることができる。
【００１４】
また、前記第一吹出口と前記第二吹出口の開口面積が略同一であることを特徴とするものである。
【００１５】
これにより、前記第一吹出口から吹出す主流と前記第二吹出口から吹出す主流の空気の量を両者略均一にすることができ、前記第一吹出口と前記第二吹出口とを結ぶ直線方向に対して同じ側で、二方面に対称な空気流を放出することができ、空気流の到達した空間から偏りのなく花粉やハウスダストを集める空気の流れを作りだすことができる。
【００１６】
また、前記モータの両軸にそれぞれ前記羽根車を備え、各々の羽根車とそれぞれ前記第一吹出口、前記第二吹出口を連通する構成としたことを特徴とするものである。
【００１７】
これにより、前記第一吹出口、前記第二吹出口から吹出す空気の量を略同一にするように前記モータの両軸にそれぞれ同性能の前記羽根車を備えることができるため、前記第一吹出口から吹出す主流と前記第二吹出口から吹出す主流が二方面に分かれて略均一に放出されるので、挟まれた中央部に主流が無い領域を広げることができ、前記第一吹出口と前記第二吹出口とを結ぶ直線方向に偏りなく花粉やハウスダストを集める空気の流れを作りだすことができる。
【００１８】
また、本発明に係る空気清浄機に、水を保持する気化フィルタと、前記気化フィルタに水を供給するトレイを備え、前記気化フィルタが前記トレイの水に接触することで湿潤し、空気流が湿潤した前記気化フィルタを通過することで加湿を行うことを特徴とする加湿機能付空気清浄機である。
【００１９】
これにより、前記第一吹出口と前記第二吹出口から湿潤した加湿された空気を吹出すことができるため、空気中の花粉やハウスダストに水分を含ませて密度を高くし、空気中に舞いにくい状態にすることができ、前記第一吹出口と前記第二吹出口から吹出す空気の主流によって誘引された空気流によるわずかな花粉やハウスダストの巻上げも低減することができ、空気の吸込みにより本体近傍に集まってくる花粉やハウスダストを効率よく吸込口で吸込むことができ、花粉やハウスダストの捕集効率を高めることができる。また、花粉やハウスダストを巻き上げることが無いため、空間中の花粉やハウスダストの濃度を素早く減少させることができる。
【００２０】
以下、添付図面を参照して、本発明の実施の形態につき説明し、本発明の理解に供する。なお、以下の実施の形態は、本発明を具体化した一例であって、本発明の技術的範囲を限定する性格のものではない。また、重複を避けるため、全図面を通して、同一の部位については同一の番号を付して二度目以降の説明を省略している。さらに、各図面において、本発明に直接には関係しない各部の詳細については説明を省略している。
【００２１】
（実施の形態１）
以下、本発明の実施の形態１に係る加湿機能付空気清浄機について図１、図２、図３、図４を用いて説明する。図１は、本発明の実施の形態１に係る加湿機能付空気清浄機の斜視図、図２は断面を示す構成図の正面図、図３は断面を示す構成図の側面図である。
【００２２】
図１、図２、図３に示すように加湿機能付空気清浄機１１は、本体１２の正面側から空気を取り入れる吸込口１３を備え、本体１２の上部に空気を吹出す二つの吹き出し口、第一吹出口１４と第二吹出口１５を備えている。すなわち、第一吹出口１４と第二吹出口１５は、吸込口１３よりも本体１２の上方で空気を吹出すものである。第一吹出口１４と第二吹出口１５は、開口面積を略同一なものとしている。吸込口１３は、本実施の形態では図１に示すように本体正面側の側面および図３に示すように本体正面側の底部に備えている。
【００２３】
また、図２に示すように、第一吹出口１４と第二吹出口１５は、所定の間隔として吹出口間隔１６を置いて備えている。吹出口間隔１６としては、図１に示す第一吹出口１４の吹出口幅１７の１０分の１から同幅程度が好ましく、本実施の形態では吹出口幅１７の３分の１としている。
【００２４】
図１に示すように、第一吹出口１４と第二吹出口１５は水平方向に方位角１８で向けられている。また、図３に示すように、第一吹出口１４と第二吹出口１５は水平方向に対して吹出仰角１９を有している。すなわち、第一吹出口１４と第二吹出口１５から吹出す空気それぞれの主流である第一主流２０と第二主流２１は、立面視で水平より仰角すなわち吹出仰角１９（本実施の形態では３０度）で、本体１２から離れるに従い平面視において方位角１８（本実施の形態では１１０度）で広がるものである。なお、吹出仰角１９としては１０度から８０度、方位角１８としては３０度から１５０度が好ましい。
【００２５】
また、図３に示すように、本体１２内には、吸込口１３と第一吹出口１４と第二吹出口１５を連通する風路２２と、両軸を有したモータ２３を備えている。風路２２には、空気浄化手段としての脱臭フィルタ２４と集塵フィルタ２５と気化フィルタ２６、および空気流を発生するための対称な形の二つの羽根車２７を備えている。二つの羽根車２７は、モータ２３の両軸のそれぞれ軸支されている。
【００２６】
また、図２に示すように、本体１２内には、気化フィルタ２６の下部で気化フィルタ２６水を供給するトレイ２８と、トレイ２８に水を補給するタンク２９と、気化フィルタ２６の上部で気化フィルタ２６を回転駆動するモータギアユニット３０が備えられている。気化フィルタ２６は、下部の一部をトレイ２８の水に浸漬することで水を保水し、モータギアユニット３０により回転することで全体が湿潤するものである。
【００２７】
上記構成において、電源（図示しない）を入れることによりモータ２３が駆動され、二つの羽根車２７が回転することで風路２２に空気流が発生する。二つの羽根車２７で生じる空気流はそれぞれ第一吹出口１４と第二吹出口１５から吹出す構成になっている。
【００２８】
加湿機能付空気清浄機１１の外部の汚れた空気は吸込口１３から吸込まれる。集塵フィルタ２５では粉塵を取り除き、脱臭フィルタ２４では臭いを取り除き、吸込まれた空気は浄化され、一部の空気が気化フィルタ２６を通過し、第一吹出口１４と第二吹出口１５から吹出される。このとき、空気を加湿する必要がある場合にはモータギアユニット３０により気化フィルタ２６を回転させ、気化フィルタ２６を湿潤させることで、気化フィルタ２６を通過する空気が湿潤し、加湿を行うことができる。
【００２９】
このような動作のなかで、第一吹出口１４と第二吹出口１５は水平方向に方位角１８で向けられているので、図４に示すように本体１２の空気を吹出す方向では、第一吹出口１４から吹出す第一主流２０と第二吹出口１５から吹出す第二主流２１が二方面に分かれて、さらに吹出仰角１９で放出される。そして、第一主流２０と第二主流２１に挟まれた中央部に主流の存在しない主流間領域３１を形成し、吹出し方向に本体から遠ざかるにしたがって主流間領域３１を広げることができるので、空気の吸込みにより本体１２近傍に集まってくる花粉やハウスダストを主流が誘引して巻き上げることがなく、花粉やハウスダストを効率よく吸込口１３で吸込むことができ、花粉やハウスダストの捕集効率を高めることができる。また、主流により花粉やハウスダストを巻き上げることが無いため、空間中の花粉やハウスダストの濃度を素早く減少させることができる。
【００３０】
本実施の形態では室内での加湿機能付空気清浄機１１の使用を示しており、天井３２がある場合、図４に示すように第一吹出口１４から吹出す第一主流２０と第二吹出口１５から吹出す第二主流２１は本体１２から離れるに従い広がり、天井３２に衝突することでさらに拡散し、本体１２から一定距離離れた地点で合流する形となっている。主流による花粉などの巻上げは本体１２近傍で主として発生するため、本体１２から一定距離離れた地点で主流が合流する本実施の形態でも問題なく効果を発揮することができるものである。
【００３１】
さらに、第一吹出口１４と第二吹出口１５の開口面積は略同一であり、対称な形の二つの羽根車２７とそれぞれ第一吹出口１４、第二吹出口１５は連通する構成とすると、第一吹出口１４から吹出す第一主流２０と第二吹出口１５から吹出す第二主流２１が二方面に分かれて対称に放出される。そして、第一吹出口１４と第二吹出口１５から吹出す空気の量を両者略均一にすることができる。第一吹出口１４と第二吹出口１５とを結ぶ直線方向に対して同じ側で、二方面に対称な空気流を放出することができ、空気流の到達した空間から偏りのなく花粉やハウスダストを集める空気の流れを作りだすことができる。
【００３２】
また、加湿機能付空気清浄機１１として、加湿を行うことで空気中の花粉やハウスダストに水分を含ませて密度を高くし、空気中に舞いにくい状態にすることができ、第一吹出口１４と第二吹出口１５から吹出す空気の主流によって誘引された空気流によるわずかな花粉やハウスダストの巻上げも低減することができ、空気の吸込みにより本体１２近傍に集まってくる花粉やハウスダストを効率よく吸込口１３で吸込むことができ、花粉やハウスダストの捕集効率を高めることができる。また、花粉やハウスダストを巻き上げることが無いため、空間中の花粉やハウスダストの濃度を素早く減少させることができる。
【産業上の利用可能性】
【００３３】
室内空気中の花粉やハウスダストなどを除去する空気清浄、及び加湿を行う空気清浄機及び加湿機能付空気清浄機として有用である。
【符号の説明】
【００３４】
１１  加湿機能付空気清浄機
１２  本体
１３  吸込口
１４  第一吹出口
１５  第二吹出口
１６  吹出口間隔
１７  吹出口幅
１８  方位角
１９  吹出仰角
２０  第一主流
２１  第二主流
２２  風路
２３  モータ
２４  脱臭フィルタ
２５  集塵フィルタ
２６  気化フィルタ
２７  二つの羽根車
２８  トレイ
２９  タンク
３０  モータギアユニット
３１  主流間領域
３２  天井
３３  本体幅方向
１０１  空気清浄機
１０２  吸込口
１０３  第一吹出口
１０４  第二吹出口
１０５  ハウジング
１０６  送風機
１０７  集塵フィルタ
１０８  脱臭フィルタ
１０９  通風路
１１０  風向制御装置
１１１  ケーシング
１１２  風向制御体
【図１】
2017020710.tif 000003
【図２】
2017020710.tif 000004
【図３】
2017020710.tif 000005
【図４】
2017020710.tif 000006
【図５】
2017020710.tif 000007